(57)【要約】【課題】安価な構成で、しかも長期に渡って、電子制御板を小動物、虫、埃、液体などから確実に保護することができる電装品収納箱を提供する。【解決手段】電気部品を制御する電子制御板２と、前記電子制御板２を収納する収納箱１ａと、前記収納箱１ａの上方開口を覆う収納箱蓋４と、前記収納箱蓋４の裏面に一体的に形成され収納された前記電子制御板２の全周縁に対向して突出したリブ５を設け、前記リブ５の下端と前記電子制御板２との間に絶縁材３を介在させて、前記電子制御板２の上面を密閉したもので、収納箱蓋４に設けたリブ５が対向する範囲のみに絶縁材を塗布するだけでよいため、材料費、加工費が大幅に削減でき、しかも，電子制御板２を、小動物や虫、水や埃から確実に保護する事ができる。さらに、絶縁材は、電装品収納箱１内にあるので、外気や機器内の空気に直接曝されず、長期間に渡って気密性を保持する事ができる。【選択図】図５ 
2005274036.tif 000002
【特許請求の範囲】
【請求項１】
電気部品を制御する電子制御板と、前記電子制御板を収納する収納箱と、前記収納箱の上方開口を覆う収納箱蓋と、前記収納箱蓋の裏面に一体に形成され収納された前記電子制御板の全周縁に対向して突出したリブを設け、前記リブの下端と前記電子制御板との間に絶縁材を介在させて、前記電子制御板の上面を密閉した電装品収納箱。
【請求項２】
収納箱内面と電子制御板の外周にまたがって絶縁材を塗布したことを特徴とする空気調和機の電装品収納箱。
【請求項３】
リブの先端に絶縁材を塗布した後、収納箱蓋で収納箱を覆うことを特徴とする請求項１又２に記載の空気調和機の電装品収納箱。
【発明の詳細な説明】
【技術分野】
【０００１】
本発明は、電気部品を制御する電子制御板を内蔵する電装品収納箱に関するものである。
【背景技術】
【０００２】
従来、電装品収納箱に収納された電子制御板を水、埃、虫等から保護する方法が種々提案されている。
【０００３】
図１２、図１３は、従来の電装品収納箱の一例を示すもので、電装品収納箱１は、冷凍サイクルを制御する機能を有する電子制御板２を収納する収納容器１ａと、収納容器１ａを覆う覆４から構成され、電子制御板２は、収納容器１ａに浸入する小動物や虫の侵入によりパターン面等でショートを起こし電気回路が破壊したり、火災の原因となるのを防止するために、表面全面にシリコン等の絶縁材３が塗布されていた。
【０００４】
また、電子制御板の外周を囲む外周壁を収納容器側に設け、その外周壁上端と蓋との合わせ目全周にＥPＴシーラー（スポンジ状の防塵、防水シール材）を貼り付けるものもある。
【０００５】
また、電子制御板の外周を囲む外周壁を収納容器側に設け、その外周壁の上端を外側と内側から挟んで、電子制御板の周囲を防湿、防塵状態にする２重のリブを蓋に設けたものもある（例えば、特許文献１参照）。
【特許文献１】特開２００３−１０６５７３号公報
【発明の開示】
【発明が解決しようとする課題】
【０００６】
しかしながら、電子制御板２の表面全面にシリコン等の絶縁材３を塗布する方法は、絶縁材３が多量に必要になるため、余分な材料費や加工費がかかり高価な物になるという課題を有していた。
【０００７】
また、外周壁上端と蓋との合わせ目全周にシール材を貼り付ける方法は、シール材の材料費がかさむとともに、その貼り付け作業に工数がかかり、また、シール材が電装品収納箱の外面に位置して、外気あるいは、機器内の空気に曝され、劣化しやすいという課題があった。
【０００８】
また、外周壁の上端を２重のリブで外側と内側から挟むようにしたものは、シール材の貼り付けや、絶縁材の塗布作業に較べ組み立てが容易だが、蓋や収納容器が樹脂で形成されている場合は、電装品収納箱の組み立て上、外周壁の上端と２重のリブとの間に隙間が必要なため、完全にシールする事はできず、また、樹脂同士の”合わせ”によるシールでは、長期に渡って、湿気や塵埃の浸入を確実に防止する事ができないという課題があった。
【０００９】
本発明はこのような従来の課題を解決するものであり、安価でかつ加工が容易で、しかも確実に小動物、虫、埃、水などから電子制御板を保護することができる電装品収納箱を提供することを目的とする。
【課題を解決するための手段】
【００１０】
前記従来の課題を解決するために、本発明の電装品収納箱は、電気部品を制御する電子
制御板と、前記電子制御板を収納する収納箱と、前記収納箱の上方開口を覆う収納箱蓋と、前記収納箱蓋の裏面に一体に形成され収納された前記電子制御板の全周縁に対向して突出したリブを設け、前記リブの下端と前記電子制御板との間に絶縁材を介在させて、前記電子制御板の上面を密閉したもので、収納箱蓋に設けたリブが対向する範囲に絶縁材を塗布するだけでよいため、材料費、加工費が大幅に削減でき、しかも電子制御板を小動物、虫、水や埃から確実に保護する事ができる。さらに、絶縁材は、電装品収納箱内にあるので、外気や機器内の空気に直接曝されず劣化しにくいので、長期間にわたって、気密性を保持する事ができるものである。
【発明の効果】
【００１１】
本発明の電装品収納箱は、収納箱蓋に設けたリブが対向する範囲のみに絶縁材を塗布するだけで、電子制御板を小動物、虫、水や埃から確実に保護する事ができ、かつ材料費や加工費が大幅に削減できる。しかも絶縁材が電装品収納箱内にあるので、劣化が少なく長期わたって気密性を維持できる。
【発明を実施するための最良の形態】
【００１２】
第１の発明は、電気部品を制御する電子制御板と、前記電子制御板を収納する収納箱と、前記収納箱の上方開口を覆う収納箱蓋と、前記収納箱蓋の裏面に一体的に形成され収納された前記電子制御板の全周縁に対向して突出したリブを設け、前記リブの下端と前記電子制御板との間に絶縁材を介在させて、前記電子制御板の上面を密閉したもので、収納箱蓋に設けたリブが対向する範囲に絶縁材を塗布するだけでよいため、材料費、加工費が大幅に削減でき、しかも電子制御板を小動物、虫、水や埃から確実に保護する事ができる。さらに、絶縁材は、電装品収納箱内にあるので、外気や機器内の空気に直接曝されず劣化しにくいので、長期間にわたって、気密性を保持する事ができるものである。
【００１３】
第２の発明は、特に、第１の発明の収納箱内面と電子制御板の外周にまたがって絶縁材を塗布したもので、収納箱内面と電子制御板の外周との隙間が塞がれ電子制御板の下面も密閉される事により、電子制御板を小動物や虫等、水や埃などから確実に保護する事ができる。
【００１４】
第３の発明は、特に、第１又は第２の発明のリブの先端に絶縁材を塗布した後、収納箱蓋で収納箱を覆うもので、絶縁材の塗布範囲が明確であり作業も安定するので、絶縁材の塗布量を低減することができ、加工費や加工工数を大幅に低減することができる。
【００１５】
以下本発明の実施の形態について、図面を参照しながら説明する。なお、この実施の形態によって本発明が限定されるものではない。
【００１６】
（実施の形態１）
図１は、本発明の第１の実施の形態における電装品収納箱を搭載した空気調和機の正面図、図２は、同空気調和機の内部構成を示す平面図、図３は、同電装品収納箱の分解斜視図、図４は、同電装品収納箱の収納箱蓋の裏面斜視図で、図５は、同電装品収納箱の断面図である。
【００１７】
図において、電装品収納箱１は、空気調和機の上部に配され冷凍サイクル等を制御する電子制御板２を収納する収納箱１ａと、収納箱１ａの上方開口を覆う収納箱蓋４で構成されている。前記収納箱蓋４の裏面には、電子制御板２の全周縁に対向するように突出したリブ５が一体に設けられている。３はシリコン等から絶縁物である。
【００１８】
以下に、電装品収納箱１への電子制御板２の収納について説明する。
【００１９】
図５に示すように、まず、収納箱１ａと電子制御板２の外周との隙間を塞ぐ為に、シリコン等の絶縁材３を収納箱１ａの内面と電子制御板２の外周に跨るように塗布する。さらに前記電子制御板２の外周より収納箱蓋４に設けたリブ５に対向する範囲まで塗布し、収納箱蓋４で収納箱１ａを閉じた時に、電子制御板２に塗布した前記絶縁材３がリブ５と接触し隙間が密閉されるようにするものである。
【００２０】
また、図６に示すように、絶縁材３で収納箱１ａと電子制御板２の接する外周隙間を塞ぎ、さらに前記電子制御板２の外周より収納箱蓋４に設けたリブ５の外壁に位置する範囲の全周を塗布し、前記電子制御板２に塗布した前記絶縁材３が前記収納箱蓋４に設けたリブ５の外壁と接触し密閉するようにしても良い。
【００２１】
さらに、図７に示すように、絶縁材３を収納箱蓋４に設けたリブ５の内壁に位置する範囲の全周に相対する電子制御板２の面に塗布し、前記電子制御板２に塗布した絶縁材３がリブ５の内壁と接触し密閉するようにしても良い。
【００２２】
以上のように、本実施の形態によれば、収納箱１ａと電子制御板２の接する外周隙間をシリコン等の絶縁材３で塞ぎ、さらに電子制御板２の外周より前記収納箱蓋４に設けた前記リブ５に対向する範囲まで塗布し、前記電子制御板２と前記収納箱蓋４に設けたリブ５との隙間を密閉する構成により、前記収納箱１ａと前記電子制御板２の接する外周隙間と前記収納箱蓋４に設けたリブ５が対向する範囲にシリコン等の絶縁材３を塗布するだけで良いため、電子制御板２を、小動物、虫、水、埃等から確実に保護することができると共に、加工費や加工工数を大幅に低減することができるものである。
【００２３】
（実施の形態２）
図８は、本発明の第２の実施の形態における電装品収納箱の分解斜視図で、図９は、同電装品収納箱の収納箱を覆う収納箱蓋の裏面斜視図で、図１０は電装品収納箱の断面図である。  なお、上記実施の形態と同一部分については同一符号を用い、その説明を省略する。
【００２４】
本実施の形態は、図８〜１０に示すように収納箱蓋４の裏面に、比較的厚めのリブ６を設け、そのリブ６の端面に絶縁材３を塗布した後、電子制御板２を収納した収納箱１ａを閉じて、リブ６の面に塗布した絶縁材３が電子制御板２に接触し隙間を密閉するようにしたものである。
【００２５】
また、図１１に示すように、絶縁材３を収納箱蓋４に設けたリブ６の端面または、電子制御板２のリブ６に対向する位置に塗布し、電子制御板２の面とリブ６の面がどちらかに塗布した絶縁材３を介して接触し隙間が密閉されるようにしても良い。
【００２６】
以上のように、本実施の形態によれば、収納箱１ａと電子制御板２を覆う収納箱蓋４に設けたリブ６の面にシリコン等の絶縁材３を塗布し、前記電子制御板２の面とリブ６の面を絶縁材３を介して隙間を密閉させることにより、絶縁材３の塗布範囲が明確になり作業も安定し、塗布量を大幅に低減することができるため、加工費や加工工数を大幅に低減することができるとともに、電子制御板２を，確実に小動物や虫等、水や埃から保護することができるものである。
【産業上の利用可能性】
【００２７】
以上のように、本発明にかかる電装品収納箱は、少ない絶縁材で、電子制御板を確実に小動物、虫、水、埃から保護できるので、外で使用される機器や、液体を使用する各種機器に搭載される電装品収納箱に広く適用できるものである。
【図面の簡単な説明】
【００２８】
【図１】本発明の実施の形態１における電装品収納箱を搭載した空気調和機の正面図
【図２】同空気調和機の平面図
【図３】同電装品収納箱の分解斜視図
【図４】同電装品収納箱の収納箱蓋の裏面斜視図
【図５】同電装品収納箱の断面図
【図６】他の例を示す電装品収納箱の断面図
【図７】さらに他の例を示す電装品収納箱の断面図
【図８】本発明の実施の形態２における電装品収納箱の分解斜視図
【図９】同電装品収納箱の収納箱蓋の裏面斜視図
【図１０】同電装品収納箱の断面図
【図１１】他の例を示す電装品収納箱の断面図
【図１２】従来の電装品収納箱の分解斜視図
【図１３】同電装品収納箱の収納箱蓋の斜視図
【符号の説明】
【００２９】
１  電装品収納箱
１ａ  収納箱
２  電子制御板
３  絶縁材
４  収納箱蓋
５、６  リブ
【図１】
2005274036.tif 000003
【図２】
2005274036.tif 000004
【図３】
2005274036.tif 000005
【図４】
2005274036.tif 000006
【図５】
2005274036.tif 000007
【図６】
2005274036.tif 000008
【図７】
2005274036.tif 000009
【図８】
2005274036.tif 000010
【図９】
2005274036.tif 000011
【図１０】
2005274036.tif 000012
【図１１】
2005274036.tif 000013
【図１２】
2005274036.tif 000014
【図１３】
2005274036.tif 000015